(57)【要約】【課題】DeBakeyIIIa型及びDeBakeyIIIb型に分類される大動脈解離を降圧療法により治療する場合に、エントリーの閉塞部材を患者毎に細かくデザインする必要をなくし、降圧療法を多くの医療施設で行えるようにする。【解決手段】薄い膜状の閉塞部材２と、この閉塞部材２を弓部大動脈の内膜組織に固定する固定部材３とで大動脈解離用治療具を構成する。閉塞部材２を筒状に形成して、弓部大動脈のエントリーを覆う位置まで挿入する。閉塞部材２内に真腔の血液を流し、この血液の圧力により閉塞部材２を内膜組織のエントリー周縁に沿うように変形させて接触させ、エントリーを閉塞する。【選択図】図１
2007135627.tif 000002
【特許請求の範囲】
【請求項１】
大動脈内の血液が該大動脈の内膜組織に形成されたエントリーから該大動脈の内膜組織と外膜組織との間に流れ込むことで発症する大動脈解離を治療するための大動脈解離用治療具であって、
上記エントリーよりも大きい膜状に形成されて上記大動脈の真腔に挿入され、上記大動脈を流れる血液の圧力により上記内膜組織のエントリー周縁に接触して該エントリーを閉塞する閉塞部材と、
上記閉塞部材を上記内膜組織に固定する固定部材とを備えていることを特徴とする大動脈解離用治療具。
【請求項２】
請求項１に記載の大動脈解離用治療具において、
固定部材は、大動脈の径方向外側に弾性変形して内膜組織を押圧するように形成された弾性材で構成され、該弾性材の内膜組織を押圧する側に閉塞部材が取り付けられていることを特徴とする大動脈解離用治療具。
【請求項３】
請求項２に記載の大動脈解離用治療具において、
弾性材は、大動脈の血流方向へ延びるように形成されていることを特徴とする大動脈解離用治療具。
【請求項４】
請求項３に記載の大動脈解離用治療具において、
弾性材は、真腔の周方向に複数配置されていることを特徴とする大動脈解離用治療具。
【請求項５】
請求項１から４のいずれか１つに記載の大動脈解離用治療具において、
弾性材には、回収具が係合する係合部が設けられていることを特徴とする大動脈解離用治療具。
【請求項６】
請求項１から５のいずれか１つに記載の大動脈解離用治療具において、
閉塞部材は、筒状に形成されていることを特徴とする大動脈解離用治療具。
【請求項７】
請求項１から５のいずれか１つに記載の大動脈解離用治療具において、
閉塞部材は、真腔の周方向について途切れていることを特徴とする大動脈解離用治療具。
【請求項８】
請求項１から７のいずれか１つに記載の大動脈解離用治療具において、
閉塞部材には、血流方向へ延びる補強部が設けられていることを特徴とする大動脈解離用治療具。
【請求項９】
請求項１から８のいずれか１つに記載の大動脈解離用治療具において、
閉塞部材は、生体吸収性材料で構成されていることを特徴とする大動脈解離用治療具。
【発明の詳細な説明】
【技術分野】
【０００１】
本発明は、大動脈解離を治療する際に用いる大動脈解離用治療具に関する。
【背景技術】
【０００２】
近年、動脈硬化等に起因する大動脈疾患の一つとして、大動脈解離の発症例が増加している。大動脈解離とは、大動脈の内膜組織の一部が破綻してできたエントリーから大動脈を流れる血液が大動脈の内膜組織と外膜組織との間に流れ込んで、これら内膜組織と外膜組織との間に解離腔を生じさせる病態である。この大動脈解離は、解離腔が上行大動脈から胸部下行大動脈に亘るDeBakeyＩ型と、解離腔が上行大動脈にとどまるDeBakeyII型と、解離腔が左鎖骨下動脈よりも血流方向末梢側で胸部下行大動脈にとどまるDeBakeyIIIa型と、解離腔が胸部下行大動脈から腹部大動脈に亘るDeBakeyIIIb型とに分類される。
【０００３】
これら大動脈解離の類型のうち、解離腔が上行大動脈に及んでいるDeBakeyＩ型及びDeBakeyII型（Stanford A型とも呼ばれている）の場合には、解離腔により冠動脈の入り口が圧迫されたり大動脈弁がゆがんだりして患者は急性期に致死的となることから、緊急に外科治療が必要になる。一方、解離腔が上行大動脈にないDeBakeyIIIa型及びDeBakeyIIIb型（Stanford B型とも呼ばれている）の場合には、大動脈破裂や瘤形成、各分岐動脈への灌流障害等がない限りは、患者の血圧を下げながら厳重な安静を保つ降圧療法で治療するという方針が医療施設で一般的に用いられている。この降圧療法では、解離腔内の血液が血栓化して解離の状態が落ち着くまでの発症から約１週間はＩＣＵでの厳密な管理が必要である。このＩＣＵでの管理が約１週間も続くと、患者には、不穏状態や無気肺、肺炎等の合併症が発症することがある。このような合併症を発症した場合には、ＩＣＵでの管理が長期化して入院期間が３〜４週間程度に長引くケースがある。
【０００４】
そこで、上記DeBakeyIIIa型及びDeBakeyIIIb型の大動脈解離を降圧療法で治療する場合に、例えば特許文献１に開示されているような血管内留置型の人工血管、即ちステントグラフトを大動脈の真腔に挿入してエントリーの閉塞部材として用いることが考えられる。この閉塞部材を真腔のエントリーに対応する箇所まで挿入して該エントリーを閉塞すると、真腔からエントリーを介して解離腔へ流れ込もうとする血液の流れが遮断される。その結果、解離腔内で血流が殆ど流れなくなって血液が早く血栓化し、解離の状態を早期に落ち着かせることが可能になり、ＩＣＵでの管理期間を短くすることができ、ひいては入院期間を短くすることができる。
【特許文献１】特開２００５−５８４３４号公報
【発明の開示】
【発明が解決しようとする課題】
【０００５】
しかしながら、上記DeBakeyIIIa型及びDeBakeyIIIb型に分類される大動脈解離であっても、患者によって、動脈硬化の進行具合、エントリーの大きさ、エントリーの位置及び解離腔の形状が様々であることから、真腔の閉塞部材を挿入する部位の形状は大きく異なっている。従って、上記特許文献１のような閉塞部材を用いて大動脈解離の降圧療法を行おうとすると、閉塞部材によりエントリーを確実に閉塞するために、閉塞部材の形状を患者毎に真腔の形状に合わせて細かくデザインする必要がある。つまり、特許文献１の閉塞部材を用いた降圧療法は、真腔の形状を正確に把握できる装置やデザイン用の器具等を有する限られた医療施設でしか行うことができない。
【０００６】
本発明は斯かる点に鑑みてなされたものであり、その目的とするところは、大動脈解離の降圧療法を行う場合に用いるエントリーの閉塞部材を患者毎に細かくデザインすることなくエントリーを閉塞できるようにして、降圧療法を多くの医療施設で行えるようにすることにある。
【課題を解決するための手段】
【０００７】
上記目的を達成するために、本発明では、大動脈の内膜組織に膜状の閉塞部材を固定し、この閉塞部材を血液の圧力によりエントリー周縁に接触させて該エントリーを閉塞するようにした。
【０００８】
具体的には、請求項１の発明では、大動脈内の血液が該大動脈の内膜組織に形成されたエントリーから該大動脈の内膜組織と外膜組織との間に流れ込むことで発症する大動脈解離を治療するための大動脈解離用治療具を対象とする。
【０００９】
そして、上記エントリーよりも大きい膜状に形成されて上記大動脈の真腔に挿入され、上記大動脈を流れる血液の圧力により上記内膜組織のエントリー周縁に接触して該エントリーを閉塞する閉塞部材と、上記閉塞部材を上記内膜組織に固定する固定部材とを備えている構成とする。
【００１０】
この構成によれば、閉塞部材を大動脈の真腔のエントリーに対応する位置まで挿入した状態で固定部材により大動脈の内膜組織に固定することが可能になる。この内膜組織に固定された閉塞部材は膜状であるため、真腔を流れる血液の圧力により内膜組織のエントリー周縁の形状に沿うように容易に変形して接触する。このように閉塞部材が血液の圧力により内膜組織のエントリー周縁に接触するので、患者毎に真腔の形状が大きく異なっていても、閉塞部材を細かくデザインすることなくエントリーを閉塞部材で閉塞することが可能になる。この閉塞部材により真腔からエントリーを介して解離腔へ流れ込もうとする血液の流れが遮断され、その結果、解離腔内の血液を早期に血栓化させて解離の状態を落ち着かせることが可能になる。
【００１１】
請求項２の発明では、請求項１の発明において、固定部材は、大動脈の径方向外側に弾性変形して内膜組織を押圧するように形成された弾性材で構成され、該弾性材の内膜組織を押圧する側に閉塞部材が取り付けられている構成とする。
【００１２】
この構成によれば、弾性材が内膜組織を押圧することにより、閉塞部材が弾性材と内膜組織とで挟持される。
【００１３】
請求項３の発明では、請求項２の発明において、弾性材は、大動脈の血流方向へ延びるように形成されている構成とする。
【００１４】
この構成によれば、弾性材が血流方向に延びているので、真腔の血流が弾性材によって阻害される度合いを小さくすることが可能になる。
【００１５】
請求項４の発明では、請求項３の発明において、弾性材は、真腔の周方向に複数配置されている構成とする。
【００１６】
この構成によれば、閉塞部材の複数箇所が弾性材と内膜組織とで挟持される。
【００１７】
請求項５の発明では、請求項１から４のいずれか１つの発明において、弾性材には、回収具が係合する係合部が設けられている構成とする。
【００１８】
この構成によれば、大動脈解離用治療具を用いた治療が終わった場合のように、大動脈解離用治療具を真腔から回収するときには、回収具を係合部に係合させることで、該回収具により確実にかつ容易に回収することが可能になる。
【００１９】
請求項６の発明では、請求項１から５のいずれか１つの発明において、閉塞部材は、筒状に形成されている構成とする。
【００２０】
この構成によれば、閉塞部材を真腔のエントリーに対応する位置まで挿入すると、閉塞部材が筒状で真腔の周方向に連続しているため、閉塞部材を真腔内で該真腔の周方向に回動させることなく、エントリーを確実に覆うことが可能になる。
【００２１】
請求項７の発明では、請求項１から５のいずれか１つの発明において、閉塞部材は、真腔の周方向について途切れている構成とする。
【００２２】
この構成によれば、エントリーが大動脈における分岐動脈の近傍に形成されている場合には、閉塞部材を真腔のエントリーに対応する位置まで挿入した後、閉塞部材の途切れている部分を分岐動脈の入り口と一致させることで、分岐動脈の入り口が閉塞部材で閉塞されるのが防止される。
【００２３】
請求項８の発明では、請求項１から７のいずれか１つの発明において、閉塞部材には、血流方向へ延びる補強部が設けられている構成とする。
【００２４】
この構成によれば、補強部により閉塞部材が補強されるので、エントリーから解離腔に入り込もうとする血液の流れによって閉塞部材がエントリーにまくれ込んでしまうのを抑制することが可能になる。
【００２５】
請求項９の発明では、請求項１から８のいずれか１つの発明において、閉塞部材は、生体吸収性材料で構成されているものとする。
【００２６】
この構成によれば、閉塞部材は、内膜組織のエントリー周縁に接触して該エントリーを閉塞した後、内膜組織に徐々に吸収されていき、大動脈内からやがて消失する。
【発明の効果】
【００２７】
請求項１の発明によれば、大動脈の真腔に挿入した膜状の閉塞部材を固定部材で内膜組織に固定し、閉塞部材を真腔の血液の圧力により内膜組織のエントリー周縁に接触させるようにしたので、患者によって真腔の形状が大きく異なっていても、患者毎に閉塞部材を細かくデザインすることなく閉塞部材でエントリーを閉塞することができる。これにより、閉塞部材を細かくデザインするための装置や器具等が不要になって、降圧療法を多くの医療施設で行うことができる。
【００２８】
請求項２の発明によれば、内膜組織を押圧する弾性材で固定部材を構成し、この弾性材の内膜組織側に閉塞部材を取り付けたので、閉塞部材の位置ずれを抑制することができて、エントリーを確実に閉塞することができる。
【００２９】
請求項３の発明によれば、弾性材を血流方向に延びる形状としたので、真腔の血流が弾性材によって阻害される度合いを小さくすることができて、真腔の血流量を確保することができる。
【００３０】
請求項４の発明によれば、閉塞部材の複数箇所を弾性材と内膜組織とで挟持することができるので、閉塞部材によりエントリーを確実に閉塞することができる。
【００３１】
請求項５の発明によれば、回収具を係合部に係合させることで、大動脈治療具を真腔から確実にかつ容易に回収することができる。
【００３２】
請求項６の発明によれば、閉塞部材を周方向に連続する筒状に形成したので、閉塞部材を真腔内で該真腔の周方向に回動させることなくエントリーを閉塞することができる。これにより、閉塞部材によりエントリーを閉塞する処置を簡単にすることができる。
【００３３】
請求項７の発明によれば、閉塞部材が真腔の周方向について途切れているので、閉塞部材の途切れている部分を分岐動脈の入り口に一致させることで、エントリーを閉塞しながら分岐動脈への血流を確保することができる。
【００３４】
請求項８の発明によれば、閉塞部材がエントリーにまくれ込んでしまうのを抑制することができて、エントリーを確実に閉塞することができる。
【００３５】
請求項９の発明によれば、閉塞部材を生体吸収性材料からなるものとしたので、閉塞部材はエントリーを閉塞した後、時間の経過によって大動脈内で消失する。これにより、閉塞部材を大動脈内から取り出す処置が不要になり、低侵襲な治療を行うことができる。
【発明を実施するための最良の形態】
【００３６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３７】
図１は、本発明の実施形態に係る大動脈解離用治療具１を示すものである。この治療具１は、DeBakeyIIIa型及びDeBakeyIIIb型に分類される大動脈解離を治療する際に用いられるものであり、図２に示すように、大動脈１００の内膜組織に形成されたエントリーＥを閉塞する閉塞部材２と、該閉塞部材２を大動脈１００の内膜組織に固定する固定部材３とで構成されている。閉塞部材２は、柔軟でかつ弾性を有する薄い膜状の樹脂材を円筒状に成形してなるものである。閉塞部材２は、大動脈１００を流れる血液の圧力程度の力で容易に変形するように構成されている。閉塞部材２の直径は、３０ｍｍ以上４０ｍｍ以下に設定され、中心線方向の長さは３０ｍｍ以上６０ｍｍ以下に設定されている。
【００３８】
上記閉塞部材２の外面には、該閉塞部材２の径方向外方へ突出して中心線方向に延びる突条部４が一体成形されており、この突条部４が形成された部位の肉厚は、他の部位の肉厚よりも厚くなっている。突条部４は、閉塞部材２の周方向に間隔をあけて複数設けられている。この突条部４により、閉塞部材２が大動脈１００を流れる血液の脈動によりめくれるようになるのが抑制される。上記突条部４が、本発明の補強部を構成している。
【００３９】
上記固定部材３は、図２（ａ）に示すように、線状の弾性材５を複数備えている。これら弾性材５は、図１に示すように、閉塞部材２の内側で該閉塞部材２の中心線方向に延びるように、かつ、該閉塞部材２の中心線に略一致する中心線を有する筒状をなすように配置されている。弾性材５は、例えばＮｉ−Ｔｉ合金やステンレス鋼等のバネ性を有する金属材または樹脂材等からなり、真腔１１５に挿入された状態で大動脈１００の内膜組織を径方向外側へ押圧するように形成されている。
【００４０】
弾性材５の一端部（図１及び図２の下側の端部）は、固定部材３の中心線方向一端部において該中心線上で互いに結合されて一体化されている。弾性材５の一端部よりも他側（図１及び図２の上側）は、固定部材３の中心線から径方向に離れる方向に湾曲形成されており、従って、周方向に隣り合う弾性材５の間には、一端部を除いて隙間が設けられている。弾性材５の他端部は、固定部材３の中心線に略直交する同一面上に位置付けられている。各弾性材５の他端部と、固定部材３の中心線との離間距離は、略同じに設定されている。
【００４１】
固定部材３の外径は、弾性材５の湾曲形状により中心線方向他側（図１及び図２の上側）へ行くほど拡大している。固定部材３の中心線方向他端部の外径は、上記閉塞部材２の内径と略同じに設定されている。また、固定部材３の中心線方向の長さは、閉塞部材２の中心線方向の長さよりも短く設定されている。
【００４２】
弾性材５の他端部には孔部６が設けられている。この孔部６は、弾性材５の他端部を固定部材３の外側へ向けて円環状に曲げることにより形成されたものであり、弾性材５と一体成形されている。上記孔部６には、例えば糸等で構成された環状部材７が挿通している。この環状部材７により、弾性材５の他端部が周方向に連結される。これにより、弾性材５の他端部が固定部材３の拡径方向に変位し過ぎないようになっている。この環状部材７と上記弾性材５とで固定部材３が構成されている。
【００４３】
また、固定部材３の中心線方向一端部には、該固定部材３から中心線方向に突出するフック部９が設けられている。このフック部９は、弾性材５に一体成形されており、詳細は後述するが、回収具３０が引っ掛かって離脱しないように湾曲形状をなしている。このフック部９が本発明の係合部である。
【００４４】
図１に示すように、上記固定部材３の中心線方向他端部は、上記閉塞部材２の端部開口から突出している。この状態で、固定部材３の中心線方向他端側、即ち大動脈１００の内膜組織を径方向外側に押圧する側が、上記閉塞部材２の内面に例えば接着剤等を用いて接着されている。尚、閉塞部材２は、固定部材３に対し例えば糸等を用いて固定してもよい。
【００４５】
次に、上記のように構成された大動脈解離用治療具１を用いて大動脈解離を治療する場合について説明する。まず、大動脈１００系及び大動脈解離の病態について、図３に基づいて説明する。大動脈１００は、上行大動脈１０１、弓部大動脈１０２、胸部下行大動脈１０３及び腹部大動脈１０４で構成されている。上行大動脈１０１の起始部からは冠動脈１０５が分岐している。弓部大動脈１０２からは右腕頭動脈１０６、左総頸動脈１０７及び左鎖骨下動脈１０８が分岐している。腹部大動脈１０４からは、腹部主要４分枝、即ち左腎動脈１１０、右腎動脈１１１、腹腔動脈１１２及び上腸間膜動脈１１３が分岐している。尚、符号１０９は横隔膜を示す。
【００４６】
上記弓部大動脈１０２における左鎖骨下動脈１０８の分岐部よりも末梢側の内膜組織にエントリーＥが形成されると、弓部大動脈１０２内の血液がエントリーＥから内膜組織と外膜組織との間に流れ込む。この内膜組織と外膜組織との間に流れ込んだ血液により中膜組織が破壊されて、内膜組織と外膜組織とが末梢側へ向かって剥がれていき、解離腔１１４が形成される。つまり、この大動脈解離では、弓部大動脈１０２、胸部下行大動脈１０３及び腹部大動脈１０４に、正規の血流路を構成する真腔１１５と解離腔１１４とが形成されている。この真腔１１５の内径は、正常な弓部大動脈１０２の内径よりも小さく、かつ解離腔１１４よりも小さくなっている。上記エントリーＥは弓部大動脈１０２の周方向に長いスリット状をなしていて、長手方向の寸法は約２０ｍｍ〜３０ｍｍであり、幅方向の寸法は約１０ｍｍである。
【００４７】
上記治療具１は、図４及び図５に示すように、カテーテル２０内に収容した状態で上記弓部大動脈１０２まで挿入される。カテーテル２０は、医療現場で一般に用いられているものであり、柔軟性を有する樹脂材で構成されている。このカテーテル２０内に治療具１を挿入する際には、弾性材５を固定部材３の径方向内側に弾性変形させることにより固定部材３の外径をカテーテル２０の内径よりも小さくする。この固定部材３の外径を小さくしたことによって閉塞部材２には弛みが生じる。この閉塞部材２の弛んだ部分は周方向に折り畳んでおく。このようにしてカテーテル２０への挿入が可能な大きさにした治療具１を、固定部材３の中心線方向一端側からカテーテル２０の挿入方向先端部に挿入して該カテーテル２０内に収容する。カテーテル２０内には、ワイヤ２１が挿通しており、このワイヤ２１の一端部が固定部材３のフック部９に係合するようになっている。ワイヤ２１の他端部はカテーテル２０の基端部から外方へ突出している。
【００４８】
そして、患者の下肢（図示せず）の皮膚を切開して下肢の動脈に上記カテーテル２０を挿入する。このカテーテル２０を動脈への挿入方向に移動させていき、先端部を図３に示す総腸骨動脈１１６から腹部大動脈１０４及び胸部下行大動脈１０３を経て、図５に示すように、弓部大動脈１０２のエントリーＥよりも末梢側の所定位置に位置付ける。
【００４９】
その後、ワイヤ２１の他端部をカテーテル２０の基端部から該カテーテル２０内へ押し込んで、図６に示すように、治療具１をカテーテル２０の先端部から真腔１１５内に押し出す。上記カテーテル２０の先端部の所定位置は、該カテーテル２０から押し出された治療具１の固定部材３における中心線方向他端部がエントリーＥよりも中枢側となるように設定しておく。具体的には、固定部材３における中心線方向他端部がエントリーＥから中枢側に約１０ｍｍ離れた位置となるようにする。
【００５０】
治療具１をカテーテル２０から押し出す際には、固定部材３の弾性材５における中心線方向他端側が径方向外側へ変形して、固定部材３の外径が拡大していく。この固定部材３の外径が拡大することにより、閉塞部材２の周方向の弛みが小さくなる。そして、治療具１をカテーテル２０から完全に押し出すと、図７に示すように、固定部材３の弾性材５における中心線方向他端側が、弓部大動脈１０２の径方向外側に変位して内膜組織を押圧する。
【００５１】
これにより、閉塞部材２が弾性材５と内膜組織とで挟持されるとともに、閉塞部材２によりエントリーＥが覆われる。このとき、閉塞部材２に突条部４が形成されているので、真腔１１５からエントリーＥを介して解離腔１１４に入り込もうとする血液の流れによって閉塞部材２がエントリーＥにまくれ込んでしまうのを抑制することが可能になる。また、閉塞部材２が筒状をなしているので、閉塞部材２の周方向の位置に関係なく、エントリーＥを閉塞することが可能になる。
【００５２】
そして、弓部大動脈１０２の中枢側から流れてきた血液は、閉塞部材２内に流入して弾性材５の隙間を通り、真腔１１５の末梢側へ流れる。この血流方向と弾性材５の延びる方向とは略同じ方向となっている。また、突条部４の延びる方向も血流方向と略同じ方向になる。
【００５３】
上記閉塞部材２内を流れる血液の圧力により、閉塞部材２の内面には径方向外方へ向かう力が作用する。この血液の圧力を受けた閉塞部材２は、薄い膜状であるため内膜組織のエントリーＥ周縁の形状に沿うように容易に変形して接触する。
【００５４】
このように上記閉塞部材２が血液の圧力により変形してエントリーＥ周縁に接触するので、患者毎に真腔１１５の形状が大きく異なっていても、閉塞部材２を細かくデザインすることなく、エントリーＥを閉塞することが可能になる。これにより、エントリーＥから解離腔１１４へ流れ込もうとする血液の流れが遮断される。解離腔１１４へ流れ込もうとする血液が遮断されることで、解離腔１１４内で血液が殆ど流れなくなり、該解離腔１１４内の血液を早期に血栓化させて解離の状態を落ち着かせることが可能になる。尚、このときに薬剤等を用いて患者の血圧を降下させておく。また、血栓は、次第に小さくなって消失する。
【００５５】
解離の状態が落ち着いて治療具１が不要になると該治療具１を真腔１１５から回収する。この回収の際には、図８に示すように、上記カテーテル２０と回収具３０とを用いる。回収具３０は、カテーテル２０に挿入可能なワイヤで構成され、一端部には上記固定部材３のフック部９に引っ掛かる形状の連結部３１が設けられている。上記カテーテル２０及び回収具３０は、上記した治療具１を挿入する場合と同様に下肢の動脈から弓部大動脈１０２に挿入する。その後、回収具３０の連結部３１をカテーテル２０の先端部から突出させてフック部９に引っ掛けて連結し、回収具３０をカテーテル２０の基端部から引くと、固定部材３が中心線方向の一端側からカテーテル２０内に収容される。この固定部材３がカテーテル２０内に収容される過程においては、弾性材５が固定部材３の径方向内側へ弾性変形して固定部材３の外径が小さくなる。一方、閉塞部材２は、カテーテル２０内に収容される過程で該カテーテル２０に摺接するので、固定部材３との接着部位以外がめくれ上がった状態で収容される。このようにして治療具１をカテーテル２０内に収容した後、カテーテル２０と一緒に体外へ取り出す。
【００５６】
したがって、この実施形態に係る大動脈解離用治療具１によれば、膜状の閉塞部材２を真腔１１５に挿入してから固定部材３で弓部大動脈１０２の内膜組織に固定し、閉塞部材２を真腔１１５内の血液の圧力により内膜組織のエントリーＥ周縁に接触させるようにしたので、患者毎に閉塞部材２を細かくデザインすることなくエントリーＥを閉塞することができる。これにより、閉塞部材２を細かくデザインするための装置や器具等が不要になって、降圧療法を多くの医療施設で行うことができる。
【００５７】
また、固定部材３が弾性材５を複数備えているので、閉塞部材２の複数箇所を弾性材５と内膜組織とで挟持することができる。これにより、閉塞部材２の位置ずれを抑制することができて、エントリーＥを確実に閉塞することができる。
【００５８】
また、固定部材３にフック部９を設けたので、回収具３０をフック部９に係合させて大動脈治療具１を真腔１１５内から確実にかつ容易に回収することができる。
【００５９】
また、閉塞部材２を周方向に連続する筒状に形成したので、閉塞部材２を真腔１１５内で該真腔１１５の径方向に回動させることなく、エントリーＥを閉塞することができて、閉塞部材２でエントリーＥを閉塞する処置を簡単にすることができる。
【００６０】
また、閉塞部材２に突条部４が形成されているので、閉塞部材２がエントリーＥにまくれ込んでしまうのを抑制することができて、エントリーＥを確実に閉塞することができる。
【００６１】
さらに、固定部材３が真腔１１５に配置された状態で弾性材５が血流方向に延びているので、真腔１１５の血流が弾性材５によって阻害される度合いを小さくすることができて、真腔１１５の血流量を確保することができる。
【００６２】
尚、上記実施形態では、閉塞部材２を筒状に形成しているが、例えば、図９に示す変形例１のように、閉塞部材２の周方向について途切れている形状としてもよい。この変形例１の閉塞部材２は固定部材３の周方向約半分を覆う略長方形に形成されている。
【００６３】
この変形例１の治療具１は、例えば、左鎖骨下動脈１０８等の分岐動脈に近接してエントリーＥが形成されている場合に用いるのが適している。すなわち、治療具１を真腔１１５に挿入した際、閉塞部材２の途切れている部分を分岐動脈の入り口と一致させることで、エントリーＥを閉塞しながら分岐動脈の入り口が閉塞部材２で閉塞されるのを防止できて、分岐動脈への血流を維持できる。
【００６４】
また、固定部材３の構造としては、例えば、図１０に示す変形例２のようにしてもよい。この変形例２では、弾性材５が細い線状に形成され、該弾性材５の一端部は、固定部材３の中心線方向一端部において互いに結合されて一体化されている。弾性材５の一端部よりも他端側は、固定部材３の中心線から径方向に離れ、かつ周方向に湾曲するように形成されている。これら弾性材５の他端部には孔部６が形成されている。この変形例２のように、弾性材５を細い線状にすることで、固定部材３を真腔１１５に挿入したときに、真腔１１５の血流が弾性材５によって阻害される度合いを小さくすることができる。さらに、この変形例２では、弾性材５が固定部材３の中心線周りに螺旋状をなしているので、回収具３０により回収する際、該回収具３０をフック部９に引っ掛けた後、該回収具３０によりフック部９を弾性材５の螺旋方向に回動させながら、カテーテル２０内に引っ張ることで、固定部材３をスムーズに縮径させてカテーテル２０内に収容することができる。
【００６５】
また、閉塞部材２の形状は、筒状や長方形に限られるものではなく、エントリーＥを閉塞できる形状であればよい。また、この実施形態では、閉塞部材２の突条部４を閉塞部材２の外面に設けているが、閉塞部材２の内面、即ち固定部材３側に設けてもよい。また、閉塞部材２の突条部４は、省略することもできる。
【００６６】
また、図１１に示す変形例３のように、弾性材５の中心線方向他側を閉塞部材２から突出させて、この突出した部分によっても真腔１１５の内膜組織を押圧するようにしてもよい。この変形例３の弾性材５の中心線方向他側は、該弾性材５の一側である閉塞部材２で覆われている部分と略同じ形状とされている。従って、弾性材５の中心線方向他端部は、固定部材３の中心線方向他端部において該中心線上で互いに結合されて一体化されている。この弾性材５の中心線方向他端部には、上記一端部と同様のフック部９が設けられている。この変形例３では、フック部９が固定部材３の中心線方向両端部に設けられているので、治療具１を真腔１１５から回収する際、大動脈１００の末梢側と中枢側とのどちら側からでも回収具３０で回収することができる。
【００６７】
また、固定部材３の構造としては、図１２に示す変形例４のようにしてもよい。この変形例４では、弾性材５を構成する材料が、例えばＮｉ−Ｔｉ合金等の超弾性材料とされ、弾性材５の線径は、約０．２ｍｍとされている。弾性材５の数は８本であり、これら弾性材５の一端部は、固定部材３の中心線方向一端部において互いに結合されて一体化されている。弾性材５の一端部よりも他端側は、固定部材３の中心線から径方向に離れ、かつ周方向に湾曲して螺旋状をなすように形成されている。弾性材５の他端部は、固定部材３の中心線方向他端部において互いに結合されて一体化されている。固定部材３の中心線方向両端部には、フック部９がそれぞれ設けられている。図示しないが、閉塞部材２は、弾性材５に対し接着剤や生体吸収性の糸等で固定されている。また、各弾性材５には、捻り加工が施されている。この捻り加工は、例えば弾性材５の一端部を固定した状態で他端部を該弾性材５の中心線周りに回転させて該弾性材５に捻り力を加えることにより施される加工である。このように弾性材５に捻り加工を施すことで、弾性材５の表面は螺旋状にうねった形状になり、該弾性材５が真腔１１５の内膜組織に接触した際に該弾性材５が内膜組織に対し滑り難くなる。
【００６８】
変形例４の固定部材３は、超弾性材料で構成されているので、両フック部９を固定部材３の中心線方向に離れるように引っ張ると、固定部材３が全体的に縮径するとともに、中心線方向の長さが長くなり、その引張力を除くと、基の形状に復元する。このため、治療の開始時に固定部材３をカテーテル２０に容易に挿入することが可能になるとともに、真腔１１５から回収する際にもフック部９を回収具３０で引っ張ることで、固定部材３をカテーテル２０内に容易に収容することが可能になる。
【００６９】
また、この実施形態では弓部大動脈１０２にエントリーＥが形成された大動脈解離を治療する場合について説明したが、本発明は、例えば胸部下行大動脈１０３や腹部大動脈１０４にエントリーが形成された大動脈解離を治療する場合にも適用することができる。
【００７０】
また、上記閉塞部材２を構成する材料は、例えば、ポリグリコール酸繊維やコラーゲン繊維等の生体吸収性材料であってもよい。この生体吸収性材料の種類は、従来より医療現場で縫合糸や縫合補助材等の材料として用いられているものであれば特に限定されず、例えば、株式会社ジェイ・エム・エス製のメディフィット（登録商標）が挙げられる。このように閉塞部材２を生体吸収性材料で構成することにより、閉塞部材２は、解離孔１１４内の血液が固まって血栓化する際に該血栓と一体化して内膜組織から離れなくなる。そして、閉塞部材２は、時間の経過により大動脈１００の内膜組織に徐々に吸収されていき、該大動脈１００内からやがて消失する。従って、解離の状態が落ち着いてからは、回収具３０により固定部材２のみを回収すればよく、閉塞部材２を大動脈１００内から取り出さなくて済む。これにより、低侵襲な治療を行うことができる。
【００７１】
また、環状部材７を構成する材料としては、例えば、上記した生体吸収性材料や、ゴム等であってもよい。環状部材７を生体吸収性材料とすることで、該環状部材７は、大動脈１００内からやがて消失する。従って、解離の状態が落ち着いてからは、弾性材５のみを回収具３０で回収すればよくなり、このことによっても低侵襲な治療を行うことができる。
【産業上の利用可能性】
【００７２】
以上説明したように、本発明に係る大動脈解離用治療具は、例えば弓部大動脈の左鎖骨下動脈よりもやや末梢側にエントリーが形成されたDeBakeyIIIa型及びDeBakeyIIIb型の大動脈解離を治療するのに適している。
【図面の簡単な説明】
【００７３】
【図１】本発明の実施形態に係る大動脈解離用治療具の斜視図である。
【図２】（ａ）は固定部材の斜視図であり、（ｂ）は閉塞部材の斜視図である。
【図３】大動脈解離が発症した大動脈系を示す概略図である。
【図４】大動脈解離用治療具をカテーテルに収容した状態を説明する図である。
【図５】大動脈解離用治療具を収容したカテーテルを真腔に挿入した状態を示す図３の拡大図である。
【図６】大動脈解離用治療具の一部をカテーテルから押し出した状態を示す図５相当図である。
【図７】大動脈解離用治療具を真腔に留置した状態を示す図５相当図である。
【図８】大動脈解離用治療具を回収具で回収する途中の状態を示す図５相当図である。
【図９】実施形態の変形例１に係る図１相当図である。
【図１０】実施形態の変形例２に係る図２（ａ）相当図である。
【図１１】実施形態の変形例３に係る図１相当図である。
【図１２】実施形態の変形例４に係る図２（ａ）相当図である。
【符号の説明】
【００７４】
１              大動脈解離用治療具
２              閉塞部材
３              固定部材
４              突条部（補強部）
５              弾性材
９              フック部（係合部）
１００          大動脈
１１５          真腔
Ｅ              エントリー
【図１】
2007135627.tif 000003
【図２】
2007135627.tif 000004
【図３】
2007135627.tif 000005
【図４】
2007135627.tif 000006
【図５】
2007135627.tif 000007
【図６】
2007135627.tif 000008
【図７】
2007135627.tif 000009
【図８】
2007135627.tif 000010
【図９】
2007135627.tif 000011
【図１０】
2007135627.tif 000012
【図１１】
2007135627.tif 000013
【図１２】
2007135627.tif 000014